(57)【要約】【課題】帯状の吊り具を用いて室外ユニットを吊り上げる場合に、ケースの天板の厚みを大きくするという対策を施さなくても、天板に変形などの不具合が生じるのを抑制できる室外ユニットを提供する。【解決手段】空気調和装置用の室外ユニット１１は、天板２５及び天板２５の外縁部２５ａから下方に延びる側板２０を含むケース１３を備える。天板２５又は側板２０の上部には、室外ユニット１１を吊り上げる時に帯状の吊り具３５を配置する位置を示すガイド部４１が設けられている。【選択図】図４
2014115028.tif 000002
【特許請求の範囲】
【請求項１】
天板（２５）及び前記天板（２５）の外縁部（２５ａ）から下方に延びる側板（２０）を含むケース（１３）を備え、
前記天板（２５）又は前記側板（２０）の上部には、室外ユニットを吊り上げる時に帯状の吊り具（３５）を配置する位置を示すガイド部（４１）が設けられている、空気調和装置用の室外ユニット。
【請求項２】
前記天板（２５）の外縁部（２５ａ）には、前記外縁部（２５ａ）に沿う方向に互いに間隔をあけて複数の固定部材（３３）が設けられており、前記複数の固定部材（３３）によって前記天板（２５）と前記側板（２０）が互いに固定されており、
前記ガイド部（４１）は、少なくとも１つの固定部材（３３）に隣接する位置に設けられている、請求項１に記載の空気調和装置用の室外ユニット。
【請求項３】
前記ガイド部（４１）は、前記吊り具（３５）が配置される溝部（４２）を含む、請求項１又は２に記載の空気調和装置用の室外ユニット。
【請求項４】
前記ガイド部（４１）に前記吊り具（３５）を配置するための位置決め部材（３４）をさらに備える、請求項１〜３の何れか１項に記載の空気調和装置用の室外ユニット。
【発明の詳細な説明】
【技術分野】
【０００１】
本発明は、空気調和装置用の室外ユニットに関する。
【背景技術】
【０００２】
空気調和装置として、１つ又は複数の室外ユニットに対して複数の室内ユニットが接続された、いわゆるビル用マルチタイプの空気調和装置が知られている。室外ユニットは、ケースと、ケース内に収容された熱交換器、圧縮機、送風機を含む複数の構成部品とを備える。ビル用マルチタイプの室外ユニットは、高い冷房能力、暖房能力が必要とされるので、それに応じた大容量の構成部品が用いられる。したがって、室外ユニットの重量は、家庭用の室外機に比べて非常に大きい。
【０００３】
ビル用マルチタイプの室外ユニットはビルの屋上などの高所に設置される。高所に設置する際の室外ユニットの搬入には、ビルのエレベーターを用いることができる場合もある。しかし、エレベーターでの搬入ができない場合には、室外ユニットは、例えばクレーンなどの重機を用いて吊り上げられて、屋上などの所定の設置場所に配置される場合もある。
【０００４】
重機を用いて室外ユニットを吊り上げる場合には、重機のワイヤーの端部に設けられたフックに、室外ユニットに巻かれた帯状の吊り具（ロープ）が引っ掛けられる。吊り具は、例えば室外ユニットの下部に設けられた開口部（例えばフォークリフトの爪が挿通される開口部）に通されて室外ユニットの下面に沿って配置され、吊り具の両端部は室外ユニットの上方においてフックに掛けられる。
【先行技術文献】
【特許文献】
【０００５】
【特許文献１】特開２００７−１４７２５０号公報
【発明の概要】
【発明が解決しようとする課題】
【０００６】
しかしながら、ビル用マルチタイプの室外ユニットの重量は非常に重いので、室外ユニットの吊り上げ時にはケースの天板に接する吊り具から天板の周縁部に大きな力が加わる。このような大きな力が天板に加わった場合であっても天板に変形などの不具合が生じないようにするためには、天板の厚みを大きくするなどの対策が必要になり、コストアップにつながる。
【０００７】
本発明の目的は、帯状の吊り具を用いて室外ユニットを吊り上げる場合に、ケースの天板の厚みを大きくするという対策を施さなくても、天板に変形などの不具合が生じるのを抑制できる室外ユニットを提供することである。
【課題を解決するための手段】
【０００８】
本発明の室外ユニットは、天板（２５）及び前記天板（２５）の外縁部（２５ａ）から下方に延びる側板（２０）を含むケース（１３）を備え、前記天板（２５）又は前記側板（２０）の上部には、室外ユニットを吊り上げる時に帯状の吊り具（３５）を配置する位置を示すガイド部（４１）が設けられている。
【０００９】
この構成では、上記のようなガイド部（４１）が設けられているので、作業者はガイド部（４１）を目印にして吊り具（３５）を予め定められた所望の位置に配置することができる。具体的には次の通りである。
【００１０】
ケース（１３）の天板（２５）の外縁部（２５ａ）は、全周にわたって均一な強度を有しているわけではなく、部位によって強度が異なる。したがって、外縁部（２５ａ）の全周のうちで強度の高い部位に予めガイド部（４１）を設けておくことにより、ケース（１３）の天板（２５）の厚みを大きくするという対策を施さなくても、作業者がガイド部（４１）を目印にして吊り具（３５）を配置することによって、室外ユニットの吊り上げ時に天板（２５）が変形するのを抑制できる。なお、側板（２０）の上部は、側板（２０）における高さ方向の中央よりも上方の位置である。
【００１１】
前記室外ユニットにおいて、前記天板（２５）の外縁部（２５ａ）には、前記外縁部（２５ａ）に沿う方向に互いに間隔をあけて複数の固定部材（３３）が設けられており、前記複数の固定部材（３３）によって前記天板（２５）と前記側板（２０）が互いに固定されており、前記ガイド部（４１）は、少なくとも１つの固定部材（３３）に隣接する位置に設けられているのが好ましい。固定部材（３３）によって天板（２５）と側板（２０）とが固定されている部位においては、天板（２５）は側板（２０）によって動きが規制されているので、固定されていない部位に比べて天板（２５）が変形しにくい。したがって、ガイド部（４１）が少なくとも１つの固定部材（３３）に隣接する位置に設けられていることによって、室外ユニットの吊り上げ時において天板（２５）が変形するのを抑制することができる。
【００１２】
前記室外ユニットにおいて、前記ガイド部（４１）は、前記吊り具（３５）が配置される溝部（４２）を含んでいるのが好ましい。この構成のように吊り具（３５）が溝部（４２）に配置されることにより、室外ユニットの吊り上げ時において、天板（２５）の変形を抑制するとともに吊り具（３５）の位置ずれをも抑制できる。
【００１３】
前記室外ユニットにおいて、前記ガイド部（４１）に前記吊り具（３５）を配置するための位置決め部材（３４）をさらに備える場合には、吊り具（３５）を所望の位置、すなわちガイド部（４１）が設けられている位置に配置することができる。
【発明の効果】
【００１４】
本発明によれば、吊り具を用いて室外ユニットを吊り上げる場合に、ケースの天板の厚みを大きくするという対策を施さなくても、天板に変形などの不具合が生じるのを抑制できる。
【図面の簡単な説明】
【００１５】
【図１】（Ａ）は、本発明の第１実施形態に係る室外ユニットを示す平面図であり、（Ｂ）は、その正面図であり、（Ｃ）は、その側面図である。
【図２】第１実施形態における室外ユニットの天板を示す斜視図である。
【図３】（Ａ）は、天板の外縁部が側板の上端部に固定部材によって固定された状態を示す断面図であり、（Ｂ）〜（Ｄ）のそれぞれは、（Ａ）の変形例を示している。
【図４】（Ａ）は、第１実施形態における室外ユニットの天板に設けられたガイド部の一例を示す平面図であり、（Ｂ）は、（Ａ）の室外ユニットにおけるガイド部に吊り具が配置された状態を示す平面図であり、（Ｃ）は、その正面図である。
【図５】（Ａ），（Ｂ）は、第１実施形態の変形例を示している。（Ａ）は、室外ユニットの側板の上部に設けられたガイド部の一例を示す正面図であり、（Ｂ）は、（Ａ）の室外ユニットにおけるガイド部に吊り具が配置された状態を示す正面図である。
【図６】（Ａ）は、本発明の第２実施形態に係る室外ユニットを示す平面図であり、（Ｂ）は、その正面図であり、（Ｃ）は、その側面図である。
【図７】第２実施形態における室外ユニットの天板を示す斜視図である。
【図８】（Ａ）は、第２実施形態における室外ユニットの天板に設けられたガイド部の一例を示す平面図であり、（Ｂ）は、（Ａ）の室外ユニットにおけるガイド部に吊り具が配置された状態を示す平面図であり、（Ｃ）は、その正面図である。
【図９】（Ａ），（Ｂ）は、第２実施形態の変形例１を示している。（Ａ）は、室外ユニットの側板の上部に設けられたガイド部の一例を示す正面図であり、（Ｂ）は、（Ａ）の室外ユニットにおけるガイド部に吊り具が配置された状態を示す正面図である。
【図１０】（Ａ），（Ｂ）は、第２実施形態の変形例２を示している。（Ａ）は、室外ユニットの天板に設けられたガイド部の他の例を示す平面図であり、（Ｂ）は、（Ａ）の室外ユニットにおけるガイド部に吊り具が配置された状態を示す正面図である。
【図１１】（Ａ），（Ｂ）は、第２実施形態の変形例３を示している。（Ａ）は、室外ユニットの側板の上部に設けられたガイド部の他の例を示す正面図であり、（Ｂ）は、（Ａ）の室外ユニットにおけるガイド部に吊り具が配置された状態を示す正面図である。
【図１２】前記ガイド部の変形例を示す斜視図である。
【図１３】室外ユニットがクレーンによって吊り上げられた状態を示す斜視図である。
【発明を実施するための形態】
【００１６】
＜第１実施形態の室外ユニットの全体構造＞
以下、本発明の実施形態に係る空気調和装置用の室外ユニットについて図面を参照して説明する。図１に示す本実施形態の室外ユニット１１は、図略の室内ユニットとともに空気調和装置を構成する。この空気調和装置は、蒸気圧縮式の冷凍サイクルを行う図略の冷媒回路を有する。
【００１７】
本実施形態の室外ユニット１１は、ビル用のマルチタイプの空気調和装置に用いられる室外機である。１つ又は複数の室外ユニット１１に対して複数の室内ユニットが並列に接続される。室外ユニット１１は、ケース１３と、ケース１３内に収容された図略の圧縮機、熱交換器、膨張弁、送風機などの複数の構成部品とを備える。
【００１８】
図１に示すように、ケース１３は、略直方体形状に形成されている。ケース１３は、側板２０、天板２５及び底板２６を有する。側板２０は、天板２５の外縁部２５ａから下方に延びている。側板２０は、前側板２１、右側板２２、後側板２３及び左側板２４を含む。側板２０は、天板２５と底板２６との間に設けられている。側板２０、天板２５及び底板２６は、板金に対して打ち抜き加工、曲げ加工などの加工を施すことにより成形されたものである。
【００１９】
天板２５には、１つ又は複数の空気吹出口３１が設けられている。図１及び図２に示す本実施形態では、天板２５には２つの空気吹出口３１が設けられている。また、図１及び図２では、空気吹出口３１の形状は矩形状であるが、後述する第２実施形態のように円形などの他の形状であってもよい。空気吹出口３１が設けられたケース１３の上部には図略の送風機が配置されている。前記送風機は、図略のモータと羽根車とを含む。本実施形態の室外ユニット１１は、水平方向に並ぶ２つの送風機を備え、各送風機が対応する空気吹出口３１に設けられている。右側板２２、後側板２３及び左側板２４には、図略の空気吸込口が設けられている。前記熱交換器は、ケース１３内においてこれらの空気吸込口に沿って配置されている。
【００２０】
天板２５と側板２０とは、固定部材３３によって互いに固定されており、底板２６と側板２０も同様に図略の固定部材によって互いに固定されている。具体的に、図１に示すように、天板２５の外縁部２５ａは、複数の固定部材３３によって側板２０の上端部に固定されている。天板２５の外縁部２５ａにおいて、複数の固定部材３３は、外縁部２５ａに沿う方向に互いに間隔をあけて配置されている。
【００２１】
第１実施形態では、図１（Ａ），（Ｂ）及び図２に示すように、前側外縁部２５ａＦに設けられた３つの固定部材３３のうち、中央の固定部材３３は、前側外縁部２５ａＦの長手方向の中央付近に設けられており、後側外縁部２５ａＢに設けられた３つの固定部材３３のうち、中央の固定部材３３は、後側外縁部２５ａＢの長手方向の中央付近に設けられている。
【００２２】
固定部材３３としては、例えば図３（Ａ）に示すようにねじ３３ａが例示できる。ねじ３３ａは、側板２０の上端部に設けられた図略のねじ孔に螺合されている。側板２０のねじ孔の内周面には雌ねじが形成されている。ただし、固定部材３３は、天板２５と側板２０とを固定できるものであれば、ねじ３３ａ以外の部材であってもよい。また、固定部材３３は、図３（Ｂ）に示すようにねじ３３ａとナット３３ｂを含んでいてもよい。
【００２３】
図２に示すように、天板２５の外縁部２５ａは、前側板２１の上端部が固定される前側外縁部２５ａＦと、右側板２２の上端部が固定される右側外縁部２５ａＲと、後側板２３の上端部が固定される後側外縁部２５ａＢと、左側板２４の上端部が固定される左側外縁部２５ａＬとを含む。本実施形態では、前側板２１の面積及び後側板２３の面積が右側板２２の面積及び左側板２４の面積よりも大きい。したがって、前側外縁部２５ａＦ及び後側外縁部２５ａＢは、右側外縁部２５ａＲ及び左側外縁部２５ａＬよりも長く、天板２５の形状は、平面視で長方形である。
【００２４】
第１実施形態では、前側外縁部２５ａＦ及び後側外縁部２５ａＢのそれぞれには、奇数個の固定部位３２が設けられている。図２に示す具体例では、前側外縁部２５ａＦ及び後側外縁部２５ａＢのそれぞれに３つの固定部位３２が設けられているが、これに限られない。各固定部位３２は、例えばねじ３３ａが挿通される挿通孔３２である。
【００２５】
したがって、第１実施形態では、前側外縁部２５ａＦは、奇数個のねじ３３ａ（図１（Ａ），（Ｂ）に示す具体例では３つのねじ３３ａ）によって前側板２１の上端部に固定されており、後側外縁部２５ａＢは、奇数個のねじ３３ａ（図１（Ａ），（Ｂ）に示す具体例では３つのねじ３３ａ）によって後側板２３の上端部に固定されている。
【００２６】
また、右側外縁部２５ａＲは、複数のねじ３３ａ（図１（Ａ），（Ｂ）に示す具体例では３つのねじ３３ａ）によって右側板２２の上端部に固定されており、左側外縁部２５ａＬは、複数のねじ３３ａ（図１（Ａ），（Ｂ）に示す具体例では３つのねじ３３ａ）によって左側板２４の上端部に固定されている。
【００２７】
天板２５の外縁部２５ａは、天板２５の外縁及びその近傍の領域であって、固定部材３３を配置することが可能な幅を有する領域である。外縁部２５ａは、側板２０の上端部に対して厚み方向（板金の厚み方向）に重なる領域を含む。図２及び図３（Ａ）に示す具体例のように、外縁部２５ａは、傾斜面を含んでいてもよいが、これに限られない。外縁部２５ａは、例えば図３（Ｃ）に示すように鉛直面であってもよく、図３（Ｄ）に示すように水平面であってもよい。
【００２８】
室外ユニット１１は、クレーンなどの重機を用いて、例えば図４（Ｃ）に示すように吊り上げられてビルの屋上などの高所に設置される。重機のワイヤー３７の端部に設けられたフック３６には、室外ユニット１１の周りに環状に巻かれた帯状の吊り具（ロープ）３５が引っ掛けられる。吊り具３５は、例えば図４（Ｃ）に示すように室外ユニット１１の下部に設けられた孔状又は溝状の吊り具配置部４３に通され、室外ユニット１１の底板２６の下面に沿って配置され、吊り具３５の上端部はフック３６に掛けられる。
【００２９】
本実施形態では、２つの吊り具配置部４３が、前側板２１の下端部、又は前側板２１の下端部の下方に設けられる脚部に設けられている。また、別の２つの吊り具配置部４３が、後側板２３の下端部、又は後側板２３の下端部の下方に設けられる脚部に設けられている。すなわち、室外ユニット１１を吊り上げたときの安定性を考慮して、平面視でケース１３の長辺となる側板２０に吊り具配置部４３が設けられている。
【００３０】
本実施形態では、２本の吊り具３５が用いられている。一方の吊り具３５は、前側で且つ右側の吊り具配置部４３と後側で且つ右側の吊り具配置部４３に跨がるように底板２６の下面に沿って配置され、この吊り具３５の両端部は、室外ユニット１１の上方においてフック３６に掛けられる。他方の吊り具３５は、前側で且つ左側の吊り具配置部４３と後側で且つ左側の吊り具配置部４３に跨がるように底板２６の下面に沿って配置され、この吊り具３５の両端部は、室外ユニット１１の上方においてフック３６に掛けられる。
【００３１】
なお、本実施形態では、上記の４つの吊り具配置部４３は、フォークリフトの爪が挿入される挿入孔としても機能する。ただし、吊り具配置部４３は、フォークリフトの爪用の挿入孔とは別に設けられていてもよい。
【００３２】
＜第１実施形態の室外ユニットの特徴＞
次に、第１実施形態の室外ユニット１１の特徴について説明する。第１実施形態では、天板２５には、室外ユニット１１を吊り上げる時に帯状の吊り具３５を配置する位置を示すガイド部４１が設けられている。したがって、吊り上げ作業を行う作業者は、ガイド部４１を目印にして吊り具３５を室外ユニット１１の側板２０に沿って配置すればよい。
【００３３】
図４（Ａ）は、室外ユニット１１の天板２５に設けられたガイド部４１の一例を示す平面図であり、図４（Ｂ）は、図４（Ａ）の室外ユニット１１におけるガイド部４１に吊り具３５が配置された状態を示す平面図であり、図４（Ｃ）は、その正面図である。図４（Ａ）に示す具体例では、天板２５には４つのガイド部４１が設けられている。２つのガイド部４１は、天板２５の前側外縁部２５ａＦに設けられており、残り２つのガイド部４１は、天板２５の後側外縁部２５ａＢに設けられている。
【００３４】
第１実施形態では、各ガイド部４１は、少なくとも１つの固定部材３３に隣接する位置に設けられている。図４（Ａ）に示す具体例では、前側外縁部２５ａＦにおいて、２つのガイド部４１は、中央の固定部材３３に隣接する位置に設けられている。２つのガイド部４１は、中央の固定部材３３を挟んで中央の固定部材３３の両サイドに設けられている。図４（Ａ）に示すように後側外縁部２５ａＢに設けられた２つのガイド部４１についても同様である。
【００３５】
中央の固定部材３３の右側に位置する固定部材３３は、前側外縁部２５ａＦの長手方向の右側端部又はその近傍に設けられており、中央の固定部材３３の左側に位置する２つの固定部材３３は、前側外縁部２５ａＦの長手方向の左側端部又はその近傍に設けられている。前側外縁部２５ａＦに設けられた２つのガイド部４１のうち、右側のガイド部４１は、右側の固定部材３３よりも中央の固定部材３３に近い位置に設けられており、左側のガイド部４１は、左側の固定部材３３よりも中央の固定部材３３に近い位置に設けられている。図４（Ｃ）に示すように、２つのガイド部４１，４１は、吊り具配置部４３，４３よりも水平方向内側（水平方向中央寄り）に位置している。
【００３６】
ガイド部４１は、吊り具３５が配置されるのに適した部位を作業者が目視にて認識できるものであればよく、具体的なガイド部４１の形態は特に限定されない。ガイド部４１の具体例として次のような形態が例示できる。例えば、ガイド部４１は、ガイド部４１の周囲と異なる色が付された部位であってもよい。また、ガイド部４１は、ガイド部４１の周囲と異なる模様が付された部位であってもよい。また、ガイド部４１には、吊り具３５が配置されることを示す文字、絵などが描かれていてもよい。また、ガイド部４１は、ガイド部４１の周囲と異なる形状の部位であってもよい。この形態の具体例として後述する図１２に示す形態が挙げられる。図１２に示す形態では、ガイド部４１は、吊り具３５が配置される溝部４２を含む。
【００３７】
図４（Ｂ），（Ｃ）に示すように、室外ユニット１１に環状に巻かれた吊り具３５は、室外ユニット１１の上方に配置された１つのフック３６に引っ掛けられる。図４（Ｂ）に示す平面視において、４つのガイド部４１から延びる吊り具３５の４つの端部は、室外ユニット１１の上方に配置された１つのフック３６に集まるように略Ｘ字状に配置される。図４（Ｂ），（Ｃ）に示すように、室外ユニット１１が吊り上げられる状態において、吊り具３５は、ガイド部４１に対面しており、ガイド部４１に接しているが、これに限られない。例えば、吊り具３５がガイド部４１に隣接する位置に配置されてもよい。
【００３８】
（第１実施形態の変形例）
図５（Ａ），（Ｂ）は、第１実施形態の変形例を示している。図５（Ａ）は、室外ユニット１１の側板２０の上部に設けられたガイド部４１の一例を示す正面図であり、図５（Ｂ）は、図５（Ａ）の室外ユニット１１におけるガイド部４１に吊り具３５が配置された状態を示す正面図である。
【００３９】
図５（Ａ）に示す室外ユニット１１では、２つのガイド部４１が前側板２１の上部に設けられており、別の２つのガイド部４１が後側板２３の上部に設けられている。前側板２１の上部は、前側板２１における高さ方向の中央よりも上方の位置であり、後側板２３の上部は、後側板２３における高さ方向の中央よりも上方の位置である。
【００４０】
各ガイド部４１は、中央の固定部材３３に隣接する位置（固定部材３３の斜め下の位置）に設けられている。本実施形態では、各ガイド部４１は、天板２５の外縁部２５ａに隣接する位置（外縁部２５ａの直下の位置）に設けられているが、これに限られない。作業者が図５（Ｂ）に示すように吊り具３５を配置する位置が認識できる範囲であれば、各ガイド部４１は、側板２０の高さ方向の中央と側板２０の上端部との間の任意の位置に設けることができる。
【００４１】
＜第２実施形態＞
図６（Ａ）は、本発明の第２実施形態に係る室外ユニット１１を示す平面図であり、図６（Ｂ）は、その正面図であり、図６（Ｃ）は、その側面図である。図７は、第２実施形態における室外ユニット１１の天板２５を示す斜視図である。
【００４２】
第２実施形態に係る室外ユニット１１は、前側外縁部２５ａＦ及び後側外縁部２５ａＢのそれぞれに、偶数個の固定部位３２が設けられている点が、第１実施形態の室外ユニット１１と異なっている。なお、以下では、第１実施形態と同様の構成については図中に第１実施形態と同じ符号を付して具体的な説明を省略する。
【００４３】
図７に示す具体例では、前側外縁部２５ａＦ及び後側外縁部２５ａＢのそれぞれに、２つの固定部位３２が設けられているが、これに限られない。前側外縁部２５ａＦは、偶数個のねじ３３ａ（図６（Ｂ）に示す具体例では２つのねじ３３ａ）によって前側板２１の上端部に固定されており、後側外縁部２５ａＢは、偶数個のねじ３３ａ（具体例では２つのねじ３３ａ）によって後側板２３の上端部に固定されている。第２実施形態では、前側外縁部２５ａＦの長手方向の中央には固定部材３３が設けられておらず、後側外縁部２５ａＢの長手方向の中央にも固定部材３３は設けられていない。
【００４４】
また、右側外縁部２５ａＲは、複数のねじ３３ａ（図６（Ｃ）に示す具体例では３つのねじ３３ａ）によって右側板２２の上端部に固定されており、左側外縁部２５ａＬは、複数のねじ３３ａ（図６（Ｃ）に示す具体例では３つのねじ３３ａ）によって左側板２４の上端部に固定されている。
【００４５】
図８（Ａ）は、第２実施形態における室外ユニット１１の天板２５に設けられたガイド部４１の一例を示す平面図であり、図８（Ｂ）は、図８（Ａ）の室外ユニット１１におけるガイド部４１に吊り具３５が配置された状態を示す平面図であり、図８（Ｃ）は、その正面図である。
【００４６】
図８（Ａ）に示すように、第２実施形態では、天板２５には４つのガイド部４１が設けられている。２つのガイド部４１は、天板２５の前側外縁部２５ａＦに設けられており、残り２つのガイド部４１は、天板２５の後側外縁部２５ａＢに設けられている。各ガイド部４１は、少なくとも１つの固定部材３３に隣接する位置に設けられている。
【００４７】
具体的に、第２実施形態では、前側外縁部２５ａＦに設けられた２つの固定部材３３のうち、右側の固定部材３３は、前側外縁部２５ａＦの長手方向の中央と長手方向の右側端部との間の位置に設けられており、左側の固定部材３３は、前側外縁部２５ａＦの長手方向の中央と長手方向の左側端部との間の位置に設けられている。
【００４８】
前側外縁部２５ａＦに設けられた２つのガイド部４１のうち、右側のガイド部４１は、右側の固定部材３３よりも外側（前側外縁部２５ａＦの長手方向の右端側）に設けられており、左側のガイド部４１は、左側の固定部材３３よりも外側（前側外縁部２５ａＦの長手方向の左端側）に設けられている。右側のガイド部４１は、前側外縁部２５ａＦの長手方向の右端よりも右側の固定部材３３に近い位置に設けられている。左側のガイド部４１は、前側外縁部２５ａＦの長手方向の左端よりも左側の固定部材３３に近い位置に設けられている。後側外縁部２５ａＢに設けられた２つのガイド部４１についても同様である。
【００４９】
第２実施形態では、吊り具配置部４３からガイド部４１まで延びる吊り具３５は、ほぼ鉛直方向を向いているのに対し、ガイド部４１からフック３６まで延びる吊り具３５は、斜め上方に傾斜している。このように吊り具３５を配置するために、第２実施形態では、位置決め部材３４が用いられている。位置決め部材３４は、外縁部２５ａに沿って配置される棒状、板状などの部材であり、複数のガイド部４１の位置に対応する位置に吊り具３５を挿通する複数の挿通孔３４ａを有する。
【００５０】
図８（Ｂ），（Ｃ）に示す具体例では、２つの位置決め部材３４が用いられている。一方の位置決め部材３４は、前側外縁部２５ａＦの上方において前側外縁部２５ａＦに沿って配置されており、２つのガイド部４１の位置に対応する２つの挿通孔３４ａを有する。他方の位置決め部材３４は、後側外縁部２５ａＢの上方において後側外縁部２５ａＢに沿って配置されており、２つのガイド部４１の位置に対応する２つの挿通孔３４ａを有する。
【００５１】
各位置決め部材３４は、例えば天板２５や側板２０に図略の支持部材を介して支持されていてもよい。また、図８（Ｂ），（Ｃ）では、２つの位置決め部材３４が用いられる場合を例示しているが、これらの位置決め部材３４は一体化されたものであってもよい。この場合、単一の位置決め部材３４において、例えば４つのガイド部４１の位置に対応する４つの挿通孔が設けられる。
【００５２】
（第２実施形態の変形例１）
図９（Ａ），（Ｂ）は、第２実施形態の変形例１を示している。図９（Ａ）は、室外ユニット１１の側板２０の上部に設けられたガイド部４１の一例を示す正面図であり、図９（Ｂ）は、図９（Ａ）の室外ユニット１１におけるガイド部４１に吊り具３５が配置された状態を示す正面図である。
【００５３】
図９（Ａ）に示す室外ユニット１１では、２つのガイド部４１が前側板２１の上部に設けられており、別の２つのガイド部４１が後側板２３の上部に設けられている。右側のガイド部４１は、右側の固定部材３３に隣接する位置（右側の固定部材３３の右斜め下の位置）に設けられている。左側のガイド部４１は、左側の固定部材３３に隣接する位置（左側の固定部材３３の左斜め下の位置）に設けられている。
【００５４】
図９（Ｂ）に示すように第２実施形態の変形例１においても２つの位置決め部材３４が用いられることにより、吊り具３５がガイド部４１に配置されている。
【００５５】
（第２実施形態の変形例２）
図１０（Ａ），（Ｂ）は、第２実施形態の変形例２を示している。図１０（Ａ）は、室外ユニット１１の天板２５に設けられたガイド部４１の他の例を示す平面図であり、図１０（Ｂ）は、図１０（Ａ）の室外ユニット１１におけるガイド部４１に吊り具３５が配置された状態を示す正面図である。
【００５６】
図１０（Ａ）に示すように、第２実施形態の変形例２では、前側外縁部２５ａＦに設けられた２つのガイド部４１のうち、右側のガイド部４１は、右側の固定部材３３よりも前記長手方向の内側に設けられており、左側のガイド部４１は、左側の固定部材３３よりも前記長手方向の内側に設けられている。すなわち、右側のガイド部４１は、前側外縁部２５ａＦの長手方向の中央と右側の固定部材３３との間に設けられており、左側のガイド部４１は、前側外縁部２５ａＦの長手方向の中央と左側の固定部材３３との間に設けられている。右側のガイド部４１は、前側外縁部２５ａＦの長手方向の中央よりも右側の固定部材３３に近い位置に設けられている。左側のガイド部４１は、前側外縁部２５ａＦの長手方向の中央よりも左側の固定部材３３に近い位置に設けられている。後側外縁部２５ａＢに設けられた２つのガイド部４１についても同様である。
【００５７】
図１０（Ｂ）に示すように第２実施形態の変形例２においても２つの位置決め部材３４が用いられることにより、吊り具３５がガイド部４１に配置されている。
【００５８】
（第２実施形態の変形例３）
図１１（Ａ），（Ｂ）は、第２実施形態の変形例３を示している。図１１（Ａ）は、第２実施形態における室外ユニット１１の側板２０の上部に設けられたガイド部４１の他の例を示す正面図であり、図１１（Ｂ）は、図１１（Ａ）の室外ユニット１１におけるガイド部４１に吊り具３５が配置された状態を示す正面図である。
【００５９】
図１１（Ａ）に示す室外ユニット１１では、２つのガイド部４１が前側板２１の上部に設けられており、別の２つのガイド部４１が後側板２３の上部に設けられている。右側のガイド部４１は、右側の固定部材３３に隣接する位置（右側の固定部材３３の左斜め下の位置）に設けられている。左側のガイド部４１は、左側の固定部材３３に隣接する位置（左側の固定部材３３の右斜め下の位置）に設けられている。
【００６０】
図１１（Ｂ）に示すように第２実施形態の変形例１においても２つの位置決め部材３４が用いられることにより、吊り具３５がガイド部４１に配置されている。
【００６１】
（ガイド部の変形例）
図１２は、ガイド部４１の変形例を示す斜視図である。この変形例では、ガイド部４１は、吊り具３５が配置される溝部４２を含む。図１２に示すように、前側外縁部２５ａＦには２つの溝部４２が設けられており、後側外縁部２５ａＢにも同様の位置に２つの溝部４２が設けられている。
【００６２】
各溝部４２は、吊り具３５が溝部４２内に入り込むことが可能な幅（外縁部２５ａの長手方向における溝部４２の寸法）を有する。具体的に、各溝部４２は、吊り具３５の幅と同じ又は吊り具３５の幅よりも少し大きい幅を有する。
【００６３】
図１２に示す具体例では、溝部４２は、天板２５の角部（天板２５の上面と鉛直面とが交わる角部）に設けられている。溝部４２は、前記鉛直面に対して内側（空気吹出口３１側）に傾斜した傾斜面を有する。吊り具３５は、この傾斜面に対面し、傾斜面に接する。
【００６４】
なお、この変形例におけるガイド部４１は、溝部４２を含むだけでなく、例えば上述したような周囲と異なる色、周囲と異なる模様、吊り具３５が配置されることを示す文字、絵などをさらに含んでいてもよい。
【００６５】
＜実施形態のまとめ＞
前記室外ユニット１１は、天板２５及び天板２５の外縁部２５ａから下方に延びる側板２０を含むケース１３を備え、天板２５又は側板２０の上部には、室外ユニット１１を吊り上げる時に帯状の吊り具３５を配置する位置を示すガイド部４１が設けられている。
【００６６】
この構成では、上記のようなガイド部４１が設けられているので、作業者はガイド部４１を目印にして吊り具３５を予め定められた所望の位置に配置することができる。ケース１３の天板２５の外縁部２５ａは、全周にわたって均一な強度を有しているわけではなく、部位によって強度が異なる。したがって、外縁部２５ａの全周のうちで強度の高い部位に予めガイド部４１を設けておくことにより、ケース１３の天板２５の厚みを大きくするという対策を施さなくても、作業者がガイド部４１を目印にして吊り具３５を配置することによって、室外ユニット１１の吊り上げ時に天板２５が変形するのを抑制できる。
【００６７】
第１実施形態では、天板２５の外縁部２５ａの長手方向の中央に側板２０とのねじ止め部があるので、吊り具３５の当たり位置が中央よりになる方が天板２５の変形が生じにくい。一方、第２実施形態では、天板２５の外縁部２５ａの長手方向の中央に側板２０とのねじ止め部がないので、吊り具３５の当たり位置が中央から離れた方が天板２５の変形が生じにくいという逆の傾向になる。
【００６８】
前記室外ユニット１１において、天板２５の外縁部２５ａには、外縁部２５ａに沿う方向に互いに間隔をあけて複数の固定部材３３が設けられており、複数の固定部材３３によって天板２５と側板２０が互いに固定されており、ガイド部４１は、少なくとも１つの固定部材３３に隣接する位置に設けられている。固定部材３３によって天板２５と側板２０とが固定されている部位においては、天板２５は側板２０によって動きが規制されているので、固定されていない部位に比べて天板２５が変形しにくい。したがって、ガイド部４１が少なくとも１つの固定部材３３に隣接する位置に設けられていることによって、室外ユニット１１の吊り上げ時において天板２５が変形するのを抑制することができる。
【００６９】
図１２に示す室外ユニット１１では、ガイド部４１は、吊り具３５が配置される溝部４２を含んでいる。この構成のように吊り具３５が溝部４２に配置されることにより、室外ユニット１１の吊り上げ時において、天板２５の変形を抑制するとともに吊り具３５の位置ずれをも抑制できる。
【００７０】
第２実施形態では、吊り具配置部４３からガイド部４１まで延びる吊り具３５は、ほぼ鉛直方向を向いているのに対し、ガイド部４１からフック３６まで延びる吊り具３５は、斜め上方に傾斜している。このように吊り具３５を配置するために、第２実施形態では、位置決め部材３４が用いられている。これにより、吊り具３５を所望の位置、すなわちガイド部４１が設けられている位置に配置することができる。
【００７１】
以上、本発明の実施形態について説明したが、本発明はこれらの実施形態に限定されるものではなく、その趣旨を逸脱しない範囲で種々変更、改良等が可能である。
【００７２】
例えば、前記実施形態では、天板２５の外縁部２５ａが一対の長辺と一対の短辺とからなる場合を例示したが、これに限られない。例えば天板２５の外縁部２５ａは正方形であってもよい。
【００７３】
前記実施形態では、室外ユニット１１に４つのガイド部４１が設けられる場合を例示したが、ガイド部４１の個数は４つに限られるものではなく、５つ以上であってもよく、また、２つ又は３つであってもよい。
【００７４】
前記実施形態では、ガイド部４１が天板２５の外縁部２５ａに設けられている場合を例示したが、これに限られない。作業者が吊り具３５を配置する位置が認識できる範囲であれば、ガイド部４１は、天板２５における外縁部２５ａから離れた位置（外縁部２５ａよりも空気吹出口３１側の位置）に設けられていてもよい。
【００７５】
前記実施形態では、ガイド部４１が固定部材３３に隣接する位置に設けられている場合を例示したが、これに限られない。ガイド部４１が設けられる位置は、必ずしも固定部材３３に隣接する位置でなくてもよく、吊り上げ時に吊り具３５から受ける力に対して変形しにくい部位が固定部材３３に隣接する位置以外に存在する場合には、その部位に設けてもよい。
【００７６】
前記実施形態では、天板２５に複数の空気吹出口３１が設けられ、各空気吹出口３１に送風機が設けられた室外ユニット１１を例示したが、これに限られない。本発明は、空気吹出口３１が１つのみ設けられ、送風機が１つのみ設けられた室外ユニットにも適用することができる。ただし、空気吹出口３１及び送風機がそれぞれ１つずつ設けられた室外ユニットは、前記第１，第２実施形態の室外ユニット１１に比べて軽量であるので、前記第１，第２実施形態の室外ユニット１１に比べて吊り上げ時に天板２５の変形は生じにくい。
【符号の説明】
【００７７】
１１  室外ユニット
１３  ケース
２０  側板
２１  前側板
２２  右側板
２３  後側板
２４  左側板
２５  天板
２５ａ  外縁部
２５ａＢ  後側外縁部
２５ａＦ  前側外縁部
２５ａＬ  左側外縁部
２５ａＲ  右側外縁部
２６  底板
３１  空気吹出口
３２  固定部位
３３  固定部材
３３ａ  ねじ
３３ｂ  ナット
３４  位置決め部材
３４ａ  挿通孔
３５  吊り具
３６  フック
４１  ガイド部
４２  溝部
４３  吊り具配置部
【図１】
2014115028.tif 000003
【図２】
2014115028.tif 000004
【図３】
2014115028.tif 000005
【図４】
2014115028.tif 000006
【図５】
2014115028.tif 000007
【図６】
2014115028.tif 000008
【図７】
2014115028.tif 000009
【図８】
2014115028.tif 000010
【図９】
2014115028.tif 000011
【図１０】
2014115028.tif 000012
【図１１】
2014115028.tif 000013
【図１２】
2014115028.tif 000014
【図１３】
2014115028.tif 000015